(57)【要約】【課題】本発明は、意匠性を低下させることなく、車椅子利用者及び一般利用者が後方確認を容易に行うことができるエレベータのかご室を提供する。【解決手段】第１上板４は、第１上板鉛直面部４ａと、第１上板水平面部４ｂと、第１上板傾斜面部４ｃとを有している。第１上板傾斜面部４ｃは、正面部１ａと天井部１ｆとの間を渡すように鉛直面に対して傾斜して配置され、かつ第１出入口１ｇの間口方向に沿って配置されている。第１上板傾斜面部４ｃは、第２出入口１ｈへ向くように配置されている。第１上板傾斜面部４ｃの利用者乗車空間側の面の全面には、鏡面処理が施されている。即ち、第１上板傾斜面部４ｃの利用者乗車空間側の面の全面は、第２出入口１ｈを向くように配置された第１鏡面部４ｄをなしており、第１上板傾斜面部４ｃの利用者乗車空間側の面は、鏡配置面を構成している。【選択図】図１
2010285274.tif 000002
【特許請求の範囲】
【請求項１】
床部と、天井部と、前記天井部及び前記床部とともに利用者乗車空間を形成する内壁部とを有し、前記内壁部に出入口が設けられたかご室本体
を備え、
前記内壁部は、前記出入口の奥行方向で前記出入口と対向する対向面部を含んでおり、
前記対向面部は、その対向面部と前記天井部との間を渡すように配置され、かつ前記出入口の開口面と平行な鉛直面に対して前記かご床側へ傾斜し前記出入口側を向くように配置された鏡配置面を有し、
前記鏡配置面には、光を反射する鏡面部が配置されている
ことを特徴とするエレベータのかご室。
【請求項２】
床部と、天井部と、前記天井部及び前記床部とともに利用者乗車空間を形成する内壁部とを有し、前記内壁部に出入口が設けられたかご室本体
を備え、
前記内壁部は、前記出入口の奥行方向で前記出入口と対向する対向面部を含んでおり、
前記対向面部は、その対向面部と前記天井部との間を渡すように前記利用者乗車空間側へ凸状に湾曲して配置された鏡配置面を有し、
前記鏡配置面には、光を反射する鏡面部が配置されている
ことを特徴とするエレベータのかご室。
【請求項３】
前記鏡配置面には、鏡面処理が施されており、
前記鏡配置面は、前記鏡面部を兼ねている
ことを特徴とする請求項１又は請求項２に記載のエレベータのかご室。
【請求項４】
前記内壁部には、前記出入口としての第１出入口及び第２出入口が互いの奥行方向で対向するように設けられており、
前記内壁部は、前記第２出入口についての前記対向面部であり前記第１出入口が配置された第１対向面部と、前記第１出入口についての前記対向面部であり前記第２出入口が配置された第２対向面部とを含んでおり、
前記第１対向面部は、前記鏡配置面としての第１鏡配置面を有しており、
前記第２対向面部は、前記鏡配置面としての第２鏡配置面を有している
ことを特徴とする請求項１から請求項３までのいずれか１項に記載のエレベータのかご室。
【発明の詳細な説明】
【技術分野】
【０００１】
この発明は、利用者が自身の背後を確認するための鏡面部が設けられたエレベータのかご室に関する。
【背景技術】
【０００２】
一般的に、対面した２つの出入口を有するエレベータのかご室のうち、車椅子に乗った利用者（以下、車椅子利用者）に配慮した設計がされたものには、出入口の上部の上板に鏡が取り付けられている。ここで、車椅子利用者は、乗車の際の出入口と同一の出入口から降車する場合に、車椅子を後向きに後退させて降車する。このため、車椅子利用者は、かごから降車する際に、かご内及びエレベータ乗場周辺の安全を確認するために、かご内の鏡を通じて自身の後方を目視することが一般的に行われる。
【０００３】
また、このような鏡は、かご室内が混雑している場合等の振り向くスペースが少ない場合に、車椅子利用者のみならず一般利用者によって、開くドアの確認や防犯のために用いられる。ここで、図７に示すように、従来の鏡取付構造２００は、かご室１００の出入口１００ａの上部の上板１０１に、取付金２０１を介して、鏡２０２が取り付けられた構造である。
【０００４】
このような鏡取付構造２００は、適切に設定された鏡２０２の角度を変更させられる等の利用者のいたずらの発生が考えられる。また、鏡取付構造２００は、上板１０１の表面から鏡２０２の部分のみが突出した構造となっている。このため、利用者に美観を起こさせにくくなっており、意匠的に優れているものではなかった。即ち、従来の鏡取付構造２００では、意匠性が低下していた。
【０００５】
これに対して、１つの出入口をもつ従来のエレベータのかご室では、出入口にその奥行方向で対向する内壁の中央部に、鏡面素材が用いられ、鏡面部が形成されている。また、対向配置された２つの出入口をもつ従来のエレベータのかご室では、エレベータのドアパネル表面に鏡面素材を用いることで、ドアパネルに鏡面部が形成されている（例えば、特許文献１参照）。
【０００６】
なお、他の従来のエレベータのかご室では、天井部に視覚的な広がりをもたせるため（装飾目的で）に、上板の表面に鏡が取り付けられている（例えば、特許文献２参照）。しかしながら、このものの場合、視覚的な広がりをもたせることを目的としており、上板に角度をもたせていないため、車椅子利用者の背後確認や防犯機能を発揮するものではなかった。
【先行技術文献】
【特許文献】
【０００７】
【特許文献１】特開２００６−７６７３８号公報
【特許文献２】特開平３−２５９８９０号公報
【発明の概要】
【発明が解決しようとする課題】
【０００８】
特許文献１に示すような従来のエレベータのかご室や、内壁の中央部に鏡面部が形成された従来のエレベータのかご室では、鏡面部が鉛直方向に沿って配置されているため、車椅子利用者が背後を確認する際に、必然的に鏡の大半に自らの体が映し出される。これによって、出入口付近の像が、図７に示すような鏡取付構造２００の鏡２０２に比べて映し出されにくいという欠点がある。
【０００９】
また、特許文献１に示すような従来のエレベータのかご室や、内壁の中央部に鏡面部が形成された従来のエレベータのかご室では、車椅子利用者と鏡面部との間に別の利用者が存在する場合に、車椅子利用者は、その前方にある鏡面部を用いて、自身の後方を確認することが困難になるという欠点がある。
【００１０】
この発明は、上記のような課題を解決するためになされたものであり、意匠性を低下させることなく、車椅子利用者及び一般利用者が後方確認を容易に行うことができるエレベータのかご室を得ることを目的とする。
【課題を解決するための手段】
【００１１】
この発明に係るエレベータのかごは、床部と、天井部と、前記天井部及び前記床部とともに利用者乗車空間を形成する内壁部とを有し、前記内壁部に出入口が設けられたかご室本体を備え、前記内壁部は、前記出入口の奥行方向で前記出入口と対向する対向面部を含んでおり、前記対向面部は、その対向面部と前記天井部との間を渡すように配置され、かつ前記出入口の開口面と平行な鉛直面に対して前記かご床側へ傾斜し前記出入口側を向くように配置された鏡配置面を有し、前記鏡配置面には、光を反射する鏡面部が配置されているものである。
【発明の効果】
【００１２】
この発明に係るエレベータのかごによれば、対向面部は、出入口側を向くように配置された鏡配置面を有しており、その鏡配置面に鏡面部が配置されているので、図７に示すような従来の鏡取付構造２００のような取付金２０１が不要となり、利用者にすっきりした印象を与えることができ、意匠性の低下を抑えることができる。これとともに、鏡配置面に沿って鏡面部がその鏡配置面に配置されていることにより、特許文献１のもののような鏡面部が鉛直に配置された構成に比べて、車椅子利用者及び一般利用者が後方確認を容易に行うことができる。
【図面の簡単な説明】
【００１３】
【図１】この発明の実施の形態１によるエレベータのかご室を示す構成図である。
【図２】この発明の実施の形態１によるエレベータのかご室を示す構成図である。
【図３】この発明の実施の形態２によるエレベータのかご室を示す構成図である。
【図４】この発明の実施の形態３によるエレベータのかご室を示す構成図である。
【図５】この発明の実施の形態４によるエレベータのかご室を示す構成図である。
【図６】この発明の実施の形態４によるエレベータのかご室を示す構成図である。
【図７】従来のエレベータのかご室の鏡取付構造を示す構成図である。
【発明を実施するための形態】
【００１４】
以下、この発明を実施するための形態について、図面を参照して説明する。
実施の形態１．
図１は、この発明の実施の形態１によるエレベータのかごを示す構成図である。なお、以下では、説明の便宜上、かご室本体１における第１出入口１ｇ側を正面とし、かご室本体１における第２出入口１ｈ側を背面として説明する。
図１において、かご室本体１は、正面部１ａ（第１の内壁部）と、背面部１ｂ（第２の内壁部）と、第１側面部１ｃ（第３の内壁部）と、第２側面部１ｄ（第４の内壁部）と、床部１ｅと、天井部１ｆとを有している。正面部１ａ、背面部１ｂ、第１側面部１ｃ、第２側面部１ｄ、床部１ｅ及び天井部１ｆは、かご室本体１の利用者乗車空間を形成している。天井部１ｆには、照明２が取り付けられている。
【００１５】
正面部１ａは、一対の第１袖壁３Ａ，３Ｂと、第１上板４とによって構成されている。また、正面部１ａには、第１出入口１ｇと、第１かごドア５とが設けられている。第１袖壁３Ａ，３Ｂは、第１出入口１ｇの両側面をなすように、鉛直方向に沿って配置されている。第１上板４は、第１袖壁３Ａ，３Ｂ間に配置されている。第１袖壁３Ａには、第１かご操作盤６が設けられている。
【００１６】
第１上板４は、鉛直面に沿って配置された第１上板鉛直面部４ａと、第１出入口１ｇの上面をなすように水平面に沿って配置された第１上板水平面部４ｂと、第１上板傾斜面部４ｃとを有している。第１上板傾斜面部４ｃは、正面部１ａと天井部１ｆとの間を渡すように鉛直面に対して傾斜して配置されている。また、第１上板傾斜面部４ｃは、第１出入口１ｇの間口方向に沿って配置されている。
【００１７】
背面部１ｂは、一対の第２袖壁（図示せず）と、第２上板７とによって構成されている。また、背面部１ｂには、第２出入口１ｈと、第２かごドア８とが設けられている。一対の第２袖壁は、第１袖壁３Ａ，３Ｂと同様に第２出入口１ｈの両側面をなすように、鉛直方向に沿って配置されている。また、一対の第２袖壁のうちの一方には、第１袖壁３Ａと同様に、第２かご操作盤（図示せず）が設けられている。
【００１８】
第２上板７は、一対の第２袖壁間に配置されている。また、第２上板７は、鉛直面に沿って配置された第２上板鉛直面部７ａと、第２出入口１ｈの上面をなすように水平面に沿って配置された第２上板水平面部７ｂと、第２上板傾斜面部７ｃとを有している。第２上板傾斜面部７ｃは、背面部１ｂの上部と天井部１ｆとの間を渡すように鉛直面に対して傾斜して配置されている。また、第２上板傾斜面部７ｃは、第２出入口１ｈの間口方向に沿って配置されている。
【００１９】
ここで、正面部１ａと第２出入口１ｈとは、第２出入口１ｈの奥行方向について対向しており、正面部１ａは、第２出入口１ｈについての対向面部をなしている。また、正面部１ａの第１上板４の第１上板傾斜面部４ｃは、第２出入口１ｈへ向くように配置されている。第１上板傾斜面部４ｃの利用者乗車空間側（図１の右下側）の面の全面には、鏡面処理（図１，２のハッチング箇所）が施されている。即ち、第１上板傾斜面部４ｃの利用者乗車空間側の面の全面は、第２出入口１ｈを向くように配置された第１鏡面部４ｄをなしており、第１上板傾斜面部４ｃの利用者乗車空間側の面は、鏡配置面を構成している。
【００２０】
背面部１ｂと第１出入口１ｇとは、第１出入口１ｇの奥行方向について対向しており、背面部１ｂは、第１出入口１ｇについての対向面部を構成している。また、背面部１ｂの第２上板７の第２上板傾斜面部７ｃは、第１出入口１ｇへ向くように配置されている。第２上板傾斜面部７ｃの利用者乗車空間側（図１の左下側）の面の全面には、鏡面処理（図１のハッチング箇所）が施されている。即ち、第２上板傾斜面部７ｃの利用者乗車空間側の面の全面は、第１出入口１ｇを向くように配置された第２鏡面部７ｄをなしており、第２上板傾斜面部７ｃの利用者乗車空間側の面は、第１上板傾斜面部４ｃと同様に、鏡配置面を構成している。
【００２１】
なお、第１上板４及び第２上板７は、例えばステンレスによって形成することができる。そして、第１上板４及び第２上板７の全体、又は第１上板４及び第２上板７における第１上板傾斜面部４ｃ及び第２上板傾斜面部７ｃの箇所を鏡面処理（鏡面研磨）することによって、第１上板傾斜面部４ｃ及び第２上板傾斜面部７ｃの利用者乗車空間側の面を、それぞれ第１鏡面部４ｄ及び第２鏡面部７ｄとすることができる。
【００２２】
従って、実施の形態１のエレベータのかご室では、正面部１ａが、鏡配置面を構成する第１上板傾斜面部４ｃを有しており、背面部１ｂも、鏡配置面を構成する第２上板傾斜面部７ｃを有している。この構成により、図７に示すような従来の鏡取付構造２００のような取付金２０１が不要となり、利用者にすっきりした印象を与えることができ、意匠性の低下を抑えることができる。
【００２３】
これとともに、第１鏡面部４ｄ及び第２鏡面部７ｄがそれぞれ第１上板傾斜面部４ｃ及び第２上板傾斜面部７ｃに配置されていることにより、第１鏡面部４ｄ及び第２鏡面部７ｄが鉛直面に対して傾斜していることから、特許文献１のもののような鏡面部が鉛直に配置された構成に比べて、車椅子利用者及び一般利用者が後方確認を容易に行うことができる。
【００２４】
また、実施の形態１のエレベータのかご室では、図７に示すような従来の鏡取付構造２００における鏡２０２の角度調整も不要となることから、いたずらによる機能低下を防ぐことができる。
【００２５】
実施の形態２．
実施の形態１では、第１上板傾斜面部４ｃ及び第２上板傾斜面部７ｃの利用者乗車空間側の面の全面が、第１鏡面部４ｄ及び第２鏡面部７ｄをそれぞれなしていた。これに対して、実施の形態２では、図３に示すように、第１上板傾斜面部４ｃ及び第２上板傾斜面部７ｃの利用者乗車空間側の面の一部が、第１鏡面部４ｅ及び第２鏡面部７ｅをなしている。他の構成は、実施の形態１と同様である。
【００２６】
上記のような実施の形態２のエレベータのかご室によれば、第１上板傾斜面部４ｃ及び第２上板傾斜面部７ｃの利用者乗車空間側の面の一部が、第１鏡面部４ｅ及び第２鏡面部７ｅをなしている。この構成により、鏡面処理を要する面積が、実施の形態１のものに比べて狭くなることにより、製造コストを低減させることができる。
【００２７】
実施の形態３．
実施の形態１では、第１上板４及び第２上板７が、それぞれ第１上板傾斜面部４ｃ及び第２上板傾斜面部７ｃを有していた。これに対して、実施の形態３では、図４に示すように、第１上板４及び第２上板７が、第１上板傾斜面部４ｃ及び第２上板傾斜面部７ｃに代えて、それぞれ第１上板湾曲面部４ｆ及び第２上板湾曲面部７ｆを有している。
【００２８】
第１上板湾曲面部４ｆは、正面部１ａと天井部１ｆとの間を渡すように利用者乗車空間側へ凸状に湾曲して配置されている。また、第１上板湾曲面部４ｆは、第１出入口１ｇの間口方向に沿って配置されている。第１上板湾曲面部４ｆの利用者乗車空間側の面には、第１上板傾斜面部４ｃと同様に、鏡面処理が施されており、第１鏡面部４ｇをなしている。即ち、第１上板湾曲面部４ｆの利用者乗車空間側（図４の右下側）の面は、鏡配置面を構成している。
【００２９】
第２上板湾曲面部７ｆは、背面部１ｂと天井部１ｆとの間を渡すように利用者乗車空間側へ凸状に湾曲して配置されている。また、第２上板湾曲面部７ｆは、第１出入口１ｇの間口方向に沿って配置されている。第２上板湾曲面部７ｆの利用者乗車空間側（図４の左下側）の面には、第１上板傾斜面部４ｃと同様に、鏡面処理が施されており、第２鏡面部７ｇをなしている。即ち、第２上板湾曲面部７ｆの利用者乗車空間側の面も、鏡配置面を構成している。他の構成は、実施の形態１と同様である。
【００３０】
上記のような実施の形態３のエレベータのかご室によれば、正面部１ａが、鏡配置面を構成する第１上板湾曲面部４ｆを有しており、背面部１ｂも、鏡配置面を構成する第２上板湾曲面部７ｆを有している。この構成により、第１鏡面部４ｇ及び第２鏡面部７ｇが曲面であることから、実施の形態１，２の第１鏡面部４ｄ，４ｅ及び第２鏡面部７ｄ，７ｅに比べて、広い範囲を映し出すことができ、利用者の背後の視認性を向上させることができる。
【００３１】
なお、実施の形態１〜３では、第１出入口１ｇ及び第２出入口１ｈが対向配置されているかご室について説明した。しかしながら、この発明は、２つの出入口が対向配置されていないかご室（２つの出入口のそれぞれの開口面が互いに異なる方向へ向けられたかご室）についても適用することができる。この場合、かご室の内壁部が２つの出入口のそれぞれに対向する対向面部を含んでおり、これらの対向面部が、２つの出入口のそれぞれに対応する鏡配置面（傾斜面又は湾曲面）を有していればよい。
【００３２】
実施の形態４．
実施の形態１〜３では、第１出入口１ｇ及び第２出入口１ｈの２つの出入口が設けられたかご室本体１について説明した。これに対して、実施の形態４では、１つの出入口１ｇが設けられたかご室本体１について説明する。
【００３３】
図５，６は、この発明の実施の形態４によるエレベータのかご室を示す構成図である。図５，６において、実施の形態４のかご室本体１は、実施の形態１のかご室本体１の上板４に代えて、上板１４を有している。上板１４は、鉛直面部１４ａと、水平面部１４ｂとを有している。
【００３４】
また、実施の形態４のかご室本体１の背面部１ｂには、実施の形態１のかご室本体１における第２上板７、一対の第２袖壁、及び第２ドア８に代えて、背面形成部材２８が設けられている。背面形成部材２８は、出入口１ｇの奥行方向で出入口１ｇと対向する対向面部を構成している。背面形成部材２８は、第１出入口１ｇの開口面と平行な第１鉛直面２８ａ及び第２鉛直面２８ｂと、背面傾斜面部２８ｃとを有している。
【００３５】
背面傾斜面部２８ｃは、背面形成部材２８の上部（第１鉛直面２８ａの上端）と天井部１ｆとの間を渡すように鉛直面に対して傾斜して配置され、かつ第１出入口１ｇの間口方向に沿って配置されている。背面傾斜面部２８ｃの利用者乗車空間側（図５の左下側）の面の全面には、鏡面処理が施されており、鏡面部２８ｄをなしている。背面傾斜面部２８ｃは、鏡配置面を構成している。他の構成は、実施の形態１と同様である。
【００３６】
上記のようなエレベータのかご室では、出入口が１つｎ場合であっても、実施の形態１と同様の効果を得ることができる。
【００３７】
なお、実施の形態４では、背面傾斜面部２８ｃの利用者乗車空間側の面の全面に鏡面処理が施されていた。しかしながら、この例に限定するものではなく、実施の形態２のように、背面傾斜面部２８ｃの利用者乗車空間側の面の一部のみに鏡面処理が施されていてもよい。
【００３８】
また、実施の形態４では、背面形成部材２８の鏡配置面が傾斜面であったが、実施の形態３のように、湾曲面であってもよい。
【００３９】
さらに、実施の形態１〜４では、第１上板傾斜面部４ｃ、第２上板傾斜面部７ｃ、第１上板湾曲面部４ｆ、第２上板湾曲面部７ｆ及び背面傾斜面部２８ｃにそれぞれ鏡面処理が施されて、第１鏡面部４ｄ，４ｅ，４ｇ、第２鏡面部７ｄ，７ｅ，７ｇ、及び鏡面部２８ｄが形成されていた。しかしながら、この例に限定するものではなく、第１上板傾斜面部４ｃ、第２上板傾斜面部７ｃ、第１上板湾曲面部４ｆ、第２上板湾曲面部７ｆ及び背面傾斜面部２８ｃに、上板４，７及び背面形成部材２８とは別部材の鏡を取り付けることもできる。この場合、上板４，７及び背面形成部材２８には、例えば鋼板素材を用いることができる。
【符号の説明】
【００４０】
１  かご室本体、１ａ  正面部（第１の内壁部、対向面部）、１ｂ  背面部（第２の内壁部、対向面部）、１ｃ  第１側面部（第３の内壁部）、１ｄ  第２側面部（第４の内壁部）、１ｅ  床部、１ｆ  天井部、１ｇ  出入口，第１出入口、１ｈ  第２出入口、４  第１上板、４ｃ  第１上板傾斜面部、４ｄ，４ｅ，４ｇ  鏡面部、４ｆ  第１上板湾曲面部、７  第２上板、７ｃ  第２上板傾斜面部、７ｆ  第２上板湾曲面部、２８  背面形成部材（対向面部）、２８ｃ  背面傾斜面部、２８ｄ  鏡面部。
【図１】
2010285274.tif 000003
【図２】
2010285274.tif 000004
【図３】
2010285274.tif 000005
【図４】
2010285274.tif 000006
【図５】
2010285274.tif 000007
【図６】
2010285274.tif 000008
【図７】
2010285274.tif 000009